【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
デジタル画像を含む電子情報を印刷させる目的で外部装置との間で通信可能な第１通信手段及び前記電子情報を印刷させる以外の目的で前記電子情報を外部装置との間で通信可能な第２通信手段と、を備える情報処理装置であって、
前記情報処理装置の状態に応じて前記第１及び第２通信手段のいずれか１つを選択する選択手段と、
通知手段と、をさらに備え、
前記通知手段は、前記選択手段によって前記第１通信手段が選択された場合、印刷が可能となった時点で印刷可能となった旨を通知する、ことを特徴とする情報処理装置。
【請求項２】
前記第２通信手段は、
前記電子情報をファイルとして送信するファイル送信手段、前記電子情報をファイルとして受信するファイル受信手段、前記電子情報に含まれる音声情報をストリーミング送信する音声送信手段及び前記電子情報に含まれる動画情報をストリーミング送信する動画送信手段のいずれか１つを含む、ことを特徴とする請求項１に記載の情報処理装置。
【請求項３】
前記選択手段が前記第１通信手段を選択する条件として、
前記情報処理装置が、前記電子情報を閲覧状態であること、ソフトパワーオン状態であること、折りたたみ状態でないこと、操作パネルカバーを開いた状態であること、キー操作有効状態であること、前記情報処理装置の備える表示部が画像を視認可能な状態であること、充電器に接続されていないこと、及び前記充電器を介してＵＳＢ接続が可能な状態にないこと、の少なくともいずれか１つの条件を含む、ことを特徴とする請求項１又は２に記載の情報処理装置。
【請求項４】
前記選択手段が前記第２通信手段を選択する条件として、
前記情報処理装置が、前記電子情報の閲覧状態でないこと、ソフトパワーオフ状態であること、折りたたみ状態であること、操作パネルカバーを閉じた状態であること、キー操作無効状態であること、前記情報処理装置の備える表示部が画像を視認不可能な状態であること、充電器に接続されていること、及び前記充電器を介してＵＳＢ接続が可能な状態にあること、の少なくともいずれか１つの条件を含む、ことを特徴とする請求項１乃至３のいずれか１項に記載の情報処理装置。
【請求項５】
前記第１及び第２通信手段は、同じ物理インタフェイスを使用する、ことを特徴とする請求項１乃至４のいずれか１項に記載の情報処理装置。
【請求項６】
前記第１通信手段はＰＴＰ接続を使用し、
前記第２通信手段はマスストレージ接続を使用する、ことを特徴とする請求項１乃至５のいずれか１項に記載の情報処理装置。
【請求項７】
前記第１及び第２通信手段は、
前記情報処理装置が、前記第１又は第２通信手段、又はその両方を使用して通信を実現するため、ＵＳＢのマルチコンフィグレーションを使用する、ことを特徴とする請求項６に記載の情報処理装置。
【請求項８】
前記選択手段は、
前記情報処理装置が前記外部装置との間ですでに接続され、前記第１又は第２通信手段によって通信を確立している時であっても、他方の通信手段へ切り替えるための選択動作を実行可能である、ことを特徴とする請求項１乃至７のいずれか１項に記載の情報処理装置。
【請求項９】
前記選択手段は、
前記情報処理装置、前記情報処理装置と接続されている前記外部装置、もしくはその両方の状態によって前記切り替えを許可するか否かを決定する機能を有する、ことを特徴とする請求項８に記載の情報処理装置。
【請求項１０】
前記切り替えを許可するか否かを決定する前記機能は、
直接印刷中は前記第１通信手段から前記第２通信手段への切り替えを許可しないと決定すること、及び前記情報処理装置へのデータ書き込み中は前記第２通信手段から前記第１通信手段への切り替えを許可しないと決定すること、のいずれかを行う、ことを特徴とする請求項９に記載の情報処理装置。
【請求項１１】
前記選択手段は、
前記第１又は第２通信手段の選択を行ったとき、その後の通信状態に応じて通信が正しく開始されたか否かを判断し、前記通信が正しく開始されなかったときは、選択されなかった通信手段を選択して再度通信を開始する、ことを特徴とする請求項１乃至１０のいずれか１項に記載の情報処理装置。
【請求項１２】
前記選択手段が前記第１通信手段を選択する条件として、
前記情報処理装置がＷｅｂページを閲覧状態であるという条件を含む、ことを特徴とする請求項１乃至１１のいずれか１項に記載の情報処理装置。
【請求項１３】
デジタル画像を含む電子情報を印刷させる目的で外部装置との間で通信可能な第１通信手段と、前記電子情報を印刷させる以外の目的で前記電子情報を外部装置との間で通信可能な第２通信手段と、を備える情報処理装置の制御方法であって、
選択手段が、前記情報処理装置の状態に応じて前記第１及び第２通信手段のいずれか１つを選択する選択工程と、
通知手段が、前記選択工程によって前記第１通信手段が選択された場合、印刷が可能になった時点で印刷可能になったことを通知する通知工程と、を備える、ことを特徴とする情報処理装置の制御方法。
【請求項１４】
前記第２通信手段は、
前記電子情報をファイルとして送信するファイル送信手段、前記電子情報をファイルとして受信するファイル受信手段、前記電子情報に含まれる音声情報をストリーミング送信する音声送信手段及び前記電子情報に含まれる動画情報をストリーミング送信する動画送信手段のいずれか１つを含む、ことを特徴とする請求項１３に記載の情報処理装置の制御方法。
【請求項１５】
前記選択手段が前記第１通信手段を選択する条件として、
前記情報処理装置が、前記電子情報を閲覧状態であること、ソフトパワーオン状態であること、折りたたみ状態でないこと、操作パネルカバーを開いた状態であること、キー操作有効状態であること、前記情報処理装置の備える表示部が画像を視認可能な状態であること、充電器に接続されていないこと、及び前記充電器を介してＵＳＢ接続が可能な状態にないこと、の少なくともいずれか１つの条件を含む、ことを特徴とする請求項１３又は１４に記載の情報処理装置の制御方法。
【請求項１６】
前記選択手段が前記第２通信手段を選択する条件として、
前記情報処理装置が、前記電子情報の閲覧状態でないこと、ソフトパワーオフ状態であること、折りたたみ状態であること、操作パネルカバーを閉じた状態であること、キー操作無効状態であること、前記情報処理装置の備える表示部が画像を視認不可能な状態であること、充電器に接続されていること、及び前記充電器を介してＵＳＢ接続が可能な状態にあること、の少なくともいずれか１つの条件を含む、ことを特徴とする請求項１３乃至１５のいずれか１項に記載の情報処理装置の制御方法。
【請求項１７】
前記第１及び第２通信手段は、同じ物理インタフェイスを使用する、ことを特徴とする請求項１３乃至１６のいずれか１項に記載の情報処理装置の制御方法。
【請求項１８】
前記第１通信手段はＰＴＰ接続を使用し、
前記第２通信手段はマスストレージ接続を使用する、ことを特徴とする請求項１７に記載の情報処理装置の制御方法。
【請求項１９】
前記第１及び第２通信手段は、
前記情報処理装置が、前記第１又は第２通信手段、又はその両方を使用して通信を実現するため、ＵＳＢのマルチコンフィグレーションを用いる、ことを特徴とする請求項１８に記載の情報処理装置の制御方法。
【請求項２０】
前記選択手段は、
前記情報処理装置が前記外部装置との間ですでに接続され、前記第１又は第２通信手段によって通信を確立している時であっても、他方の通信手段へ切り替えるための選択動作を実行可能である、ことを特徴とする請求項１３乃至１９のいずれか１項に記載の情報処理装置の制御方法。
【請求項２１】
前記選択手段は、
前記情報処理装置、前記情報処理装置と接続されている前記外部装置、もしくはその両方の状態によって前記切り替えを許可するか否かを決定する機能を有する、ことを特徴とする請求項２０に記載の情報処理装置の制御方法。
【請求項２２】
前記切り替えを許可するか否かを決定する前記機能は、
直接印刷中は前記第１通信手段から前記第２通信手段への切り替えを許可しないと決定すること、及び前記情報処理装置へのデータ書き込み中は前記第２通信手段から前記第１通信手段への切り替えを許可しないと決定すること、のいずれかを行う、ことを特徴とする請求項２１に記載の情報処理装置の制御方法。
【請求項２３】
前記選択手段は、
前記第１又は第２通信手段の選択を行ったとき、その後の通信状態に応じて通信が正しく開始されたか否かを判断し、前記通信が正しく開始されなかったときは、選択されなかった方の通信手段を選択して再度通信を開始する、ことを特徴とする請求項１３乃至２２のいずれか１項に記載の情報処理装置の制御方法。
【請求項２４】
前記選択手段が前記第１通信手段を選択する条件として、
前記情報処理装置がＷｅｂページを閲覧状態であるという条件を含む、ことを特徴とする請求項１３乃至２３のいずれか１項に記載の情報処理装置の制御方法。
【請求項２５】
コンピュータに、請求項１３乃至２４のいずれか１項に記載の情報処理装置の制御方法の各工程を実行させるためのプログラム。
【請求項２６】
請求項２５に記載のプログラムを記憶したコンピュータ可読記憶媒体。
【手続補正２】
【補正対象書類名】明細書
【補正対象項目名】０００３
【補正方法】変更
【補正の内容】
【０００３】
このような場合、接続する相手に応じ、撮像装置のＵＳＢコンフィグレーションを変更する必要が生じる。いずれのコンフィグレーションにより撮像装置をホストＰＣへ認識させるかを決定する方法として、ユーザがあらかじめ撮像装置の本体設定メニュー画面を操作することによりコンフィグレーション設定を選択させる方法がある。さらに、ＵＳＢケーブル接続の度にメニュー画面を表示し、コンフィグレーション設定を選択させるなどの方法が採用されている。（方法１）
また、メニュー操作を行うことなく、ホストＰＣと撮像装置の間に特殊な取り決めを設定しておく事で、接続したホストＰＣに応じてコンフィグレーション設定を切り替える方法として、以下の特許文献１及び特許文献２などの提案が公開されている。（方法２）
【特許文献１】特開２００４−１７３２６３号公報
【特許文献２】特開２００４−１５７６４７号公報
【手続補正３】
【補正対象書類名】明細書
【補正対象項目名】０００８
【補正方法】変更
【補正の内容】
【０００８】
上記の目的を達成するため、本願の、さらに他の実施形態は、コンピュータに、前記実施形態における情報処理装置の制御方法の各工程を実行させるためのプログラムを提供する。
上記の目的を達成するため、本願の、さらに他の実施形態は、前記プログラムを記憶したコンピュータ可読記憶媒体を提供する。